(57)【要約】【課題】非線形要素を有する光デバイスを使用して、歪みのない高速データ通信を行うための周波数設定が可能な変調装置を提供する。【解決手段】送信すべきデータを所定の変調方式により変調して変調波を生成し、その変調波により光デバイスを駆動して光変調波を送信して光データ通信を行う。光デバイスは非線形要素を有するために、送信すべきデータの変調において混変調波が生成されるが、送信すべきデータの送信に使用する帯域内に混変調波が入らないようにキャリア周波数を選択することにより、混変調波の問題を除去し、歪みのないデータ伝送が可能となる。光デバイスとしてＬＥＤなどを使用すれば低コストであり、また、多値変調方式を使用すれば、高速データ伝送が可能となる。【選択図】　　　図５
2004112336.tif 000002
【特許請求の範囲】
【請求項１】
キャリアを被変調信号によって変調して変調波を生成し、発光素子に供給する光通信用の変調装置において、使用を許可された帯域の下限周波数がｆ１［Ｈｚ］、上限周波数がｆ２［Ｈｚ］、前記変調波の下限サイドバンドがｆｄ［Ｈｚ］、前記変調波の上限サイドバンドがｆｕ［Ｈｚ］のとき、
ｆｄ＞ｆ１、
ｆｕ＜ｆ２、
ｆｄ＞ｆｕ／２
を満足するように変調を行うことを特徴とする変調装置。
【請求項２】
キャリアを被変調信号によって変調して変調波を生成し、発光素子に供給する光通信用の変調装置において、使用を許可された帯域の下限周波数がｆ１［Ｈｚ］、上限周波数がｆ２［Ｈｚ］、前記キャリア周波数がｆｃ［Ｈｚ］、ロールオフファクターがα、前記被変調信号のシンボルレートがｆｓｒのとき、
ｆｄ＞ｆ１、
ｆｕ＜ｆ２、
ｆｃ＞３（１＋α）ｆｓｒ／２
を満足するように変調を行うことを特徴とする変調装置。
【請求項３】
前記変調装置は、振幅変調を含む変調方式により変調を行うことを特徴とする請求項１又は２に記載の変調装置。
【請求項４】
請求項１乃至３のいずれか一項に記載の変調装置と、
前記変調装置により生成された変調波により駆動されて光変調波を出力する発光素子を有する光送信部と、を備えることを特徴とする送信装置。
【請求項５】
コンピュータにより実行されることにより、キャリアを被変調信号によって変調して変調波を生成し、発光素子に供給する光通信用の変調装置として前記コンピュータを機能させるコンピュータプログラムであって、使用を許可された帯域の下限周波数がｆ１［Ｈｚ］、上限周波数がｆ２［Ｈｚ］、前記変調波の下限サイドバンドがｆｄ［Ｈｚ］、前記変調波の上限サイドバンドがｆｕ［Ｈｚ］のとき、
ｆｄ＞ｆ１、
ｆｕ＜ｆ２、
ｆｄ＞ｆｕ／２
を満足するように変調を行うことを特徴とするコンピュータプログラム。
【請求項６】
コンピュータにより実行されることにより、キャリアを被変調信号によって変調して変調波を生成し、発光素子に供給する光通信用の変調装置として前記コンピュータを機能させるコンピュータプログラムであって、使用を許可された帯域の下限周波数がｆ１［Ｈｚ］、上限周波数がｆ２［Ｈｚ］、前記キャリア周波数がｆｃ［Ｈｚ］、ロールオフファクターがα、前記被変調信号のシンボルレートがｆｓｒのとき、
ｆｄ＞ｆ１、
ｆｕ＜ｆ２、
ｆｃ＞３（１＋α）ｆｓｒ／２
を満足するように変調を行うことを特徴とするコンピュータプログラム。
【発明の詳細な説明】
【０００１】
【発明の属する技術分野】
本発明は、ＬＥＤなどの光デバイスを用いた光通信に関し、特にキャリア周波数の設定条件に関する。
【０００２】
【従来の技術】
ＬＥＤなどの光デバイスを用いた光通信が行われている。
【０００３】
【発明が解決しようとする課題】
上記のような光デバイスを用いた光通信では、信号の位相に情報を載せる変復調方式が採用されているが、ＬＥＤなどの光デバイスは非線形要素を有するため、信号の振幅に情報を載せる方式は困難とされている。本発明が解決しようとする課題は、上記のものが一例として挙げられる。
【０００４】
【課題を解決するための手段】
請求項１に記載の発明は、キャリアを被変調信号によって変調して変調波を生成し、発光素子に供給する光通信用の変調装置において、使用を許可された帯域の下限周波数がｆ１［Ｈｚ］、上限周波数がｆ２［Ｈｚ］、前記変調波の下限サイドバンドがｆｄ［Ｈｚ］、前記変調波の上限サイドバンドがｆｕ［Ｈｚ］のとき、
ｆｄ＞ｆ１、
ｆｕ＜ｆ２、
ｆｄ＞ｆｕ／２
を満足するように変調を行うことを特徴とする。
【０００５】
請求項２に記載の発明は、キャリアを被変調信号によって変調して変調波を生成し、発光素子に供給する光通信用の変調装置において、使用を許可された帯域の下限周波数がｆ１［Ｈｚ］、上限周波数がｆ２［Ｈｚ］、前記キャリア周波数がｆｃ［Ｈｚ］、ロールオフファクターがα、前記被変調信号のシンボルレートがｆｓｒのとき、
ｆｄ＞ｆ１、
ｆｕ＜ｆ２、
ｆｃ＞３（１＋α）ｆｓｒ／２
を満足するように変調を行うことを特徴とする。
【０００６】
請求項５に記載の発明は、コンピュータにより実行されることにより、キャリアを被変調信号によって変調して変調波を生成し、発光素子に供給する光通信用の変調装置として前記コンピュータを機能させるコンピュータプログラムであって、使用を許可された帯域の下限周波数がｆ１［Ｈｚ］、上限周波数がｆ２［Ｈｚ］、前記変調波の下限サイドバンドがｆｄ［Ｈｚ］、前記変調波の上限サイドバンドがｆｕ［Ｈｚ］のとき、
ｆｄ＞ｆ１、
ｆｕ＜ｆ２、
ｆｄ＞ｆｕ／２
を満足するように変調を行うことを特徴とする。
【０００７】
請求項６に記載の発明は、コンピュータにより実行されることにより、キャリアを被変調信号によって変調して変調波を生成し、発光素子に供給する光通信用の変調装置として前記コンピュータを機能させるコンピュータプログラムであって、使用を許可された帯域の下限周波数がｆ１［Ｈｚ］、上限周波数がｆ２［Ｈｚ］、前記キャリア周波数がｆｃ［Ｈｚ］、ロールオフファクターがα、前記被変調信号のシンボルレートがｆｓｒのとき、
ｆｄ＞ｆ１、
ｆｕ＜ｆ２、
ｆｃ＞３（１＋α）ｆｓｒ／２
を満足するように変調を行うことを特徴とする。
【０００８】
【発明の実施の形態】
図１に、一般的な通信における使用許可帯域と変調波の帯域との関係を示す。一般的に、変調波は使用許可帯域内にその上限周波数及び下限周波数を有するように設定される。図１の例では、使用許可帯域ｆ１〜ｆ２［Ｈｚ］に対して、変調波は下限周波数ｆｄ及び上限周波数ｆｕを有し、変調波が使用許可帯域内に収まるように周波数設定がなされている。
【０００９】
図２（ａ）に本発明の第１の実施形態による光通信システムの基本構成を示す。送信装置１００から光変調波１０を送信し、これを受信装置２００により受信する。
【００１０】
図２（ｂ）に、送信装置１００及び受信装置２００の構成を示す。図示のように、送信装置１００は、変調部１１０と光送信部１２０とを備える。変調部１１０には、送信すべきデータが入力され、これを変調して変調波Ｍ１Ｔｘを生成し、光送信部１２０へ供給する。光送信部１２０は、変調波Ｍ１Ｔｘを光信号に変換し、光変調波１０として送信する。
【００１１】
受信装置２００は、光受信部２２０と復調部２１０とを備える。光受信部２２０は、光変調波１０を受信し、電気信号に変換して変調波Ｍ１Ｒｘを生成し、復調部２１０へ供給する。復調部２１０は、送信装置１００の変調部１１０の変調方式に応じた復調処理を行い、データを復元する。
【００１２】
図３（ａ）に、変調部１１０の構成を示す。変調部１１０は、変調処理部１１１と、ルートナイキストフィルタ１１２と、アップコンバータ１１３と、Ｄ／Ａ変換器１１４と、スムージングフィルタ１１５とを含む。データは、変調処理部１１１により所定の変調がなされ、ルートナイキストフィルタ１１２により帯域制限がなされた後、アップコンバータ１１３によりキャリア周波数にアップコンバートされる。キャリア周波数へ変換後の信号はＤ／Ａ変換器１１４によりアナログ信号に変換され、ローパスフィルタであるスムージングフィルタにより、Ｄ／Ａ変換による折り返し成分などが除去される。こうして、変調波Ｍ１Ｔｘが生成される。
【００１３】
図４（ａ）に光送信部１２０の構成を示す。光送信部１２０は、電圧電流変換部１２１と、光デバイス１２２と、レンズ１２３を有する。なお、光デバイス１２２としては、レーザダイオード、ＬＥＤとレーザの中間のデバイスであるＳＬＤ（スーパールミネッセントダイオード）、ＬＥＤなどを使用することができる。電圧電流変換部１２１は変調波Ｍ１Ｔｘの電圧を電流に変換し、光デバイス１２２に通電する電流を生成する。光デバイス１２２は、生成された電流により駆動されて発光し、光変調波Ｌ１を出力する。その光変調波Ｌ１はレンズ１２３により集められて送信される。
【００１４】
図４（ｂ）に光受信部２２０の構成を示す。光受信部２２０は、レンズ２２１と、光デバイス２２２と、電流電圧変換部２２３と、アンプ２２４とを有する。レンズ２２１は光変調波Ｌ１を集光して光デバイス２２２へ送る。光デバイス２２２は、受光した光量に応じた電流を出力し、これを電流電圧変換器２２３が電圧に変換してアンプ２２４へ供給する。アンプ２２４は入力された信号を所定の割合で増幅して変調波Ｍ１Ｒｘを出力する。
【００１５】
図３（ｂ）に、復調部２１０の構成を示す。復調部２１０は、アンチエイリアスフィルタ２１１と、Ａ／Ｄ変換器２１２と、ダウンコンバータ２１３と、ルートナイキストフィルタ２１４と、復調処理部２１５とを有する。変調波Ｍ１Ｒｘはアンチエイリアスフィルタ２１１に入力され、帯域制限された後、Ａ／Ｄ変換器２１２によりデジタル信号に変換される。そのデジタル信号はキャリア周波数であるので、ダウンコンバータ２１３によりベースバンドに周波数変換される。そして、ルートナイキストフィルタ２１４により使用帯域に帯域制限され、復調処理部２１５により元データが復元される。
【００１６】
以上のようにして、光デバイスを使用して送信装置１００から受信装置２００へのデータ通信が行われる。次に、この場合の周波数配置について説明する。図５は、本実施形態における周波数配置を示す。図示のように、キャリア周波数をｆｃ、ロールオフファクターをα、シンボルレートをｆｓｒ、上限サイドバンドをｆｕ、下限サイドバンドをｆｄ、使用周波数帯域幅をｆｗとする。
【００１７】
光デバイスを使用してデータ通信を行う場合、光デバイスの非線形要素により２次ひずみが発生する。その歪みは使用帯域の周波数成分の掛け算が混変調波となる。掛け算はそれぞれの周波数の加算と減算の成分により表される。よって、使用帯域の上側の周波数に現れる混変調波の下限はｆｄ＋ｆｄであり、上限はｆｕ＋ｆｕである。また、下側の周波数の上限はｆｕ−ｆｄであり、下限はｆｄ−ｆｄ（＝０）である。この様子が、図５に示されている。
【００１８】
次に、ロールオフファクターについて簡単に説明する。ロールオフファクターはナイキストフィルタの特性を決定するパラメータであり、本実施例では図３（ａ）及び（ｂ）に示すルートナイキストフィルタ１１２及び２１４の特性を規定する。ロールオフファクターαは０から１の間の値をとり、α＝０のときは急峻な理想フィルタの特性となる。
【００１９】
図１３に、シンボルレート２５ＭＨｚの信号に対して、ロールオフファクターαでナイキストフィルタを適用したときの周波数特性を示す。シンボルレートを１／２した周波数に縦線を引き、その周波数のゲインがリニア換算で０．５になる点対称のスロープを引く。そのスロープがＬｅｖｅｌ　０と交差する周波数に縦線を引く。そこがロールオフファクタαのポイントである。α＝０はシンボルレートの１／２の周波数で、α＝１はシンボルレートの周波数である。よってαのポイントの周波数は
ｆｓｒ／２　＋　αｆｓｒ／２　＝　（１＋α）ｆｓｒ／２　［Ｈｚ］　　　式１
と表せる。よって、ルートナイキストフィルタ１２２及び２１４により構成されるナイキストフィルタの周波数配置は以下のようになる（図５参照）。
【００２０】
キャリア周波数ｆｃ　［Ｈｚ］、ロールオフファクターα、シンボルレートｆｓｒ　［Ｈｚ］であるので、ロールオフファクターα（式１）により、
上限サイドバンド：　　　ｆｕ　＝　ｆｃ　＋　（１＋α）ｆｓｒ／２　［Ｈｚ］　（式２）
下限サイドバンド：　　ｆｄ　＝　ｆｃ　−　（１＋α）ｆｓｒ／２　［Ｈｚ］　（式３）
使用周波数帯域幅：　　　ｆｗ　＝　ｆｕ　−　ｆｄ　＝　（１＋α）ｆｓｒ　［Ｈｚ］
と表すことが出来る。
【００２１】
ここで、使用周波数帯域ｆｄ〜ｆｕ［Ｈｚ］に混変調波が入りこまない条件式は
ｆｕ　＜　ｆｄ　＋　ｆｄ　（式４）　かつ　　ｆｄ　＞　ｆｕ　−　ｆｄ　　（式５）
である。
【００２２】
式４に式２と式３を代入すると
ｆｃ　＋　（１＋α）ｆｓｒ／２　＜　２（ｆｃ　−　（１＋α）ｆｓｒ／２）
ｆｃ　＋　（１＋α）ｆｓｒ／２　＜　２ｆｃ　−　（１＋α）ｆｓｒ
（１＋α）ｆｓｒ／２　＜　ｆｃ　−　（１＋α）ｆｓｒ
３（１＋α）ｆｓｒ／２　＜　ｆｃ　　　（式６）
となる。
【００２３】
式５に式２と式３を代入すると
ｆｃ　−　（１＋α）ｆｓｒ／２　＞　ｆｃ　＋　（１＋α）ｆｓｒ／２　−　（ｆｃ　−　（１＋α）ｆｓｒ／２）
ｆｃ　−　（１＋α）ｆｓｒ／２　＞　　　　　　（１＋α）ｆｓｒ／２　＋　（１＋α）ｆｓｒ／２
ｆｃ　−　（１＋α）ｆｓｒ／２　＞　　　　　　（１＋α）ｆｓｒ
ｆｃ　　　　　　　　　　　　　　　＞　　　　　　（１＋α）ｆｓｒ　＋　（１＋α）ｆｓｒ／２
ｆｃ　　＞　　３（１＋α）ｆｓｒ／２　　（式７）
となる。式６と式７は同じ意味なので、使用周波数帯域ｆｄ〜ｆｕ［Ｈｚ］に混変調波が入りこまない条件式は
ｆｃ　　＞　　３（１＋α）ｆｓｒ／２　　（式８）
となる。この式が光デバイスを用いた変復調におけるキャリア周波数ｆｃの選び方である。即ち、この式を満足するようにキャリア周波数ｆｃを決定すれば、非線形要素を有する光デバイスを使用した場合でも、混変調波が使用帯域に入り込まないので、２次歪みを生じることがない。よって、非線形要素を有する光デバイスを使用して、振幅にも情報を載せた多値変調方式によるデータ通信が可能となる。また、多値変調方式の使用により、高速データ伝送が可能となる。また、光デバイスとしてＬＥＤなどを用いれば、コストも安く実現することができる。
【００２４】
次に、本発明の第２の実施形態について説明する。第２実施形態による送信装置１００の変調部１１０の構成を図６（ａ）に示し、受信装置２００の復調部２１０の構成を図６（ｂ）に示す。図３（ａ）及び（ｂ）と図６（ａ）及び（ｂ）とを比較するとわかるように、この実施形態では、第１実施形態のルートナイキストフィルタ１１２及び２１４の代わりに、ローパスフィルタを使用している。よって、周波数設計上のパラメータとしてロールオフファクターαは使用されない。他の構成は第１実施形態の場合と同様である。
【００２５】
第２実施形態における周波数配置を図７に示す。本発明によりデータ通信に使用する使用帯域ｆｄ〜ｆｕ［Ｈｚ］に混変調波が入り込まない条件式は、図７からわかるように、
ｆｕ　＜　ｆｄ　＋　ｆｄ、かつ、ｆｄ　＞　ｆｕ　−　ｆｄ　　（式９）
である。そして、式９の２式を整理すると、
ｆｕ　＜　２ｆｄ　かつ、２ｆｄ　＞　ｆｕ　　　　　（式１０）
となり、式１０は、
ｆｄ　＞　ｆｕ／２　　　（式１１）
と表せる。これが、データ通信に使用する周波数帯域をナイキストフィルタではなく、一般的なローパスフィルタにより帯域制限する場合の周波数条件となる。
【００２６】
次に、本発明の第３実施形態について説明する。第３実施形態による送信装置１００の変調部１１０の構成を図８（ａ）に示し、受信装置２００の復調部２１０の構成を図８（ｂ）に示す。第２実施形態では、送信装置側におけるキャリア周波数へのアップコンバート、及び、受信装置側におけるキャリア周波数からベースバンドへのダウンコンバートをデジタル信号で行っているが、第３実施形態ではアナログ信号で行う点が異なる。それ以外は基本的に第１実施形態と同様である。
【００２７】
具体的には、図８（ａ）に示すように、変調処理部１１１からの信号をローパスフィルタ１１６で使用周波数帯域に帯域制限した後、Ｄ／Ａ変換器１１４によりアナログ信号に変換する。そして、得られたアナログ信号からスムージングフィルタ１１５で折り返し成分を除去し、アップコンバータ１１３でキャリア周波数に周波数変換する。一方、受信側では、図８（ｂ）に示すように、まず、変調波をアナログのダウンコンバータ２１３によりベースバンドに周波数変換する。そして、アンチエイリアスフィルタ２１１で帯域制限し、Ａ／Ｄ変換器２１２でデジタル信号に変換し、ローパスフィルタ２１６で使用周波数帯域に帯域制限する。こうして得られたデジタル信号を復調処理部２１５で復調して元データを得る。
【００２８】
【実施例】
次に、図面を参照して本発明の好適な実施例について説明する。
【００２９】
図１に、本発明の実施例にかかる光通信システムの実施例の構成を示す。図９に示すように、本実施例の光通信システムは、送信装置１００と受信装置２００を有し、送信装置１００から受信装置２００へ光変調波１０を送信する。送信装置１００は、６４ＱＡＭ変調部１３０と、ＬＥＤ光送信部１４０とを備える。また、受信装置２００は、フォトダイオード光受信部２４０と、６４ＱＡＭ復調部２３０とを備える。
【００３０】
この実施例は、ＬＥＤを使用した６４ＱＡＭ変復調方式による光空間高速データ転送を実現したものである。データレートは１５０Ｍｂｐｓであり、非常に高速である。まず元データである１５０Ｍｂｐｓのシリアルデータが６４ＱＡＭ変調部１３０に入力され、変調波Ｍ１Ｔｘが出力される。その変調波Ｍ１ＴｘはＬＥＤ光送信部１４０にわたり、ＬＥＤによる光（赤外線）変調波１０が送信される。空間を飛んだ光変調波１０はフォトダイオード光受光部２４０により、光電気変換される。光電気変換された変調波Ｍ１Ｒｘは、６４ＱＡＭ復調部に入り、１５０Ｍｂｐｓのシリアルデータが出力される。
【００３１】
図１０（ａ）に６４ＱＡＭ変調部１３０の構成を示す。６４ＱＡＭ変調部１３０は、６４ＱＡＭ−ＩＱマッピング処理部１３１と、ルートナイキストフィルタ１３２と、アップコンバータ１３３と、Ｄ／Ａ変換器１３４と、スムージングフィルタ１３５とを備える。
【００３２】
データレート１５０Ｍｂｐｓのデータが６４ＱＡＭ−ＩＱマッピング処理部１３１に入力されシリアル／パラレル変換される。ＩＱのデータがルートナイキストフィルタ１３２に入力され、アップコンバータ１３３によりキャリア周波数５０ＭＨｚが複素乗算され、実数部のみがＤ／Ａ変換器１３４によりＤ／Ａ変換される。その後カットオフ周波数７５ＭＨｚのスムージングフィルタ（ＬＰＦ）１３５により帯域制限され変調波Ｍ１Ｔｘを出力する。
【００３３】
図１１（ａ）にＬＥＤ光送信部１４０の構成を示す。ＬＥＤ光送信部１４０は、電圧電流変換器１４１と、ＬＥＤ１４２と、レンズ１４３とを備える。６４ＱＡＭの変調波Ｍ１Ｔｘの電圧が電圧電流変換器１４１に入力され、電圧電流変換が行われる。変換により得られた電流によりＬＥＤ１４２が駆動され、赤外線が放出される。その赤外線は散乱光なのでレンズ１４３により集光されて、指向性のあるビームとされ、光変調波Ｌ１として出力される。
【００３４】
図１１（ｂ）にフォトダイオード光受信部２４０の構成を示す。フォトダイオード光受信部２４０は、レンズ２４１と、フォトダイオード（ＰＤ）２４２と、電流電圧変換器２４３と、アンプ２４４とを備える。６４ＱＡＭの光変調波Ｌ１はレンズ２４１によって集光され、フォトダイオード２４２により光エネルギーが電流に変換される。得られた電流は電流電圧変換器２４３により電流電圧変換され、得られた電圧はアンプ２４４により増幅され、変調波Ｍ１Ｒｘが出力される。
【００３５】
図１０（ｂ）に６４ＱＡＭ復調部２３０の構成を示す。６４ＱＡＭ復調部２３０は、アンチエイリアスフィルタ２３１と、Ａ／Ｄ変換器２３２と、ダウンコンバータ２３３と、ルートナイキストフィルタ２３４と、６４ＱＡＭ復調処理部２３５とを備える。変調波Ｍ１Ｒｘがアンチエイリアスフィルタ２３１（カットオフ周波数は７５ＭＨｚ）により帯域制限された後、Ａ／Ｄ変換器２３２によＡ／Ｄ変換される。それからダウンコンバータ２３３により、変調波にキャリア周波数−５０ＭＨｚが乗算され、ベースバンド信号にダウンコンバートされる。次にルートナイキストフィルタ２３４によりフィルタリングされる。つづいて６４ＱＡＭ復調処理部２３５でＱＡＭ復調され、元データである１５０Ｍｂｐｓのシリアルデータが出力される。
【００３６】
次に、本実施例における周波数配置について説明する。図１２は本実施例における周波数配置を示す。各周波数及びパラメータの仕様は図１２に示す通りである。ここで、光デバイスの非線形要素により２次ひずみが発生する。その歪は使用帯域周波数成分の掛け算が混変調波となる。掛け算はそれぞれの周波数の加算と減算の成分で表される。よって、使用帯域の上側の周波数に出る混変調波の下限はｆｄ＋ｆｄ、上限はｆｕ＋ｆｕである。また下側の周波数の上限はｆｕ−ｆｄ、下限はｆｄ−ｆｄで０である。よってこのキャリア周波数の選びかたは、混変調波が使用周波数帯域に入りこまないため、混変調波による悪影響がない。
【００３７】
この実施例によれば、ＬＥＤのように非線形要素を有する光デバイスを使用しても、混変調波がデータ通信の使用帯域に入り込まないため、歪み（符号間干渉）を防止することができる。よって、６４ＱＡＭなど、信号の振幅に情報を載せる多値変調方式を用いることが可能であり、高速データ伝送が可能となる。
【００３８】
また、本実施例では、アップコンバートとダウンコンバートをデジタルで行うが、キャリア周波数をシンボルレートの整数倍である２倍とすることでデジタル信号処理がしやすくなっている。さらに、光デバイスとしてＬＥＤを使用するので、低コスト化が図れる。
【００３９】
［適用例］
次に、本発明による光通信の適用例を説明する。本発明による光デバイスを使用した通信方法及びその際の周波数設定手法は、例えば図１４に示すシステムに適用することができる。図１４に示すシステムは、ＴＶ放送その他を受信するチューナ２０とＴＶモニタその他のモニタ４０との間のデータ通信に本発明の手法を適用している。即ち、アンテナを介してチューナ２０が受信したコンテンツ（放送データなど）をチューナ２０内の送信装置２５及び送信ユニット２６を利用して無線送信する。チューナ２０内の送信装置２５は例えば図１に示す送信装置１００に対応し、そのうちの光送信部１２０に対応するのが送信ユニット２６となる。よって、送信ユニット２６はＬＥＤなどの光デバイスを利用している。
【００４０】
受信装置４２は例えば図１に示す受信装置２００に対応し、送信された光変調波を受信して復調処理を実行し、コンテンツの元データを復元する。復元した元データはモニタ４０などに表示される。上述の実施例によれば、変復調方式として６４ＱＡＭなどの多値変調方式を使用して高速データ伝送が可能であるので、画像データなどを含むコンテンツを送信することができる。
【００４１】
送信装置２５は、例えば図１４に示すように、ＣＰＵ３１と、ＲＯＭ３２と、ＲＡＭ３３などを含むコンピュータ装置として実現することができる。このコンピュータ装置は、図３（ａ）などに示される変調部１１０の処理をデジタル信号処理として実現するプログラムを用意し、これをＣＰＵ３１が実行することにより送信装置２５として機能する。即ち、所定のプログラムをＲＯＭ３２に格納し、必要に応じてそれをＲＡＭ３３に展開してＣＰＵ３１が信号処理を行う。ＲＡＭ３３は、変調その他の処理における作業メモリとしても機能することができる。このプログラムは、前述の周波数決定方法に従って、データ伝送に使用する周波数帯域を決定するように構成されるので、ＬＥＤなどの光デバイスを送信ユニット２６に使用しても歪みのないデータ伝送を行うことができる。
【図面の簡単な説明】
【図１】一般的な通信方式における使用許可帯域と変調波の帯域との関係を示す。
【図２】本発明の第１の実施形態による光通信システムの基本構成、及び、その送信装置及び受信装置の構成を示す。
【図３】図２に示す変調部及び復調部の構成を示す。
【図４】図２に示す光送信部及び光受信部の構成を示す。
【図５】第１の実施形態による周波数配置を示す。
【図６】本発明の第２の実施形態における送信装置と受信装置の構成を示す。
【図７】第２の実施形態による周波数配置を示す。
【図８】本発明の第３の実施形態における送信装置と受信装置の構成を示す。
【図９】第３の実施形態による周波数配置を示す。
【図１０】本発明の実施例における送信装置及び受信装置の構成を示す。
【図１１】本発明の実施例における光送信部及び光受信部の構成を示す。
【図１２】本発明の実施例における周波数配置を示す。
【図１３】ロールオフファクターを説明するための図である。
【図１４】本発明の適用例を示す図である。
【符号の説明】
１０　光変調波
２０　チューナ
２５　送信装置
２６　送信ユニット
４０　モニタ
４２　受信装置
１００　送信装置
１１０　変調部
１２０　光送信部
２００　受信装置
２１０　復調部
２２０　光受信部
【図１】
2004112336.tif 000003
【図２】
2004112336.tif 000004
【図３】
2004112336.tif 000005
【図４】
2004112336.tif 000006
【図５】
2004112336.tif 000007
【図６】
2004112336.tif 000008
【図７】
2004112336.tif 000009
【図８】
2004112336.tif 000010
【図９】
2004112336.tif 000011
【図１０】
2004112336.tif 000012
【図１１】
2004112336.tif 000013
【図１２】
2004112336.tif 000014
【図１３】
2004112336.tif 000015
【図１４】
2004112336.tif 000016